(57)【特許請求の範囲】
【請求項１】
エコー打消し装置をもたない第１交換センターと、エコー打消し装置を有する少なくとも１つの第２交換センターとを備えたテレコミュニケーションネットワークにおいてエコー打消しを制御する方法において、
上記第１交換センター及び上記少なくとも１つの第２交換センターを経てルーティングされるコール接続を、この接続に対しエコー打消し装置を接続せずに確立し、
上記第１交換センターの制御下で、エコーの打消しが必要となるように上記コール接続のコンフィギュレーションを変更し、
上記接続に対しエコー打消し装置を接続するように上記少なくとも１つの第２交換センターに指令するメッセージを上記第１交換センターから上記少なくとも１つの第２交換センターへ送信する、
という段階を含むことを特徴とする方法。
【請求項２】
上記テレコミュニケーションネットワークは、移動通信ネットワークであり、上記第１交換センターは、移動交換センターであり、そして上記少なくとも１つの第２交換センターは、上記移動通信ネットワークを固定電話ネットワークに接続するゲートウェイ移動交換センターであり、
上記ゲートウェイ移動交換センターにおいてコール接続に対してエコー打消し装置を接続せずに上記第１移動交換センター及び上記ゲートウェイ移動交換センターを経て第１の固定電話ネットワーク当事者と第２の固定ネットワーク当事者との間に最初に上記コール接続を確立し、
上記第１移動交換センターと第２の固定ネットワーク当事者との間の接続岐路を解除し、
上記第１移動交換センターの制御下で、移動通信ネットワークにおける移動ステーションへの新たな接続岐路を確立して、第１の固定電話ネットワーク当事者と移動ステーションとの間の端−端接続が第１及びゲートウェイ移動交換センターを経て与えられるようにし、
上記接続に対してエコー打消し装置を接続するように上記ゲートウェイ移動交換センターに指令するメッセージを上記第１移動交換センターから上記ゲートウェイ移動交換センターへ送信する、
という段階を更に含む請求項１に記載の方法。
【請求項３】
上記メッセージは、エコー打消し装置の接続を制御するための特定フィールドが設けられたＩＳＵＰファシリティメッセージである請求項１又は２に記載の方法。
【請求項４】
インテリジェントネットワークにより上記第１交換センターにおいてコールを制御する段階を含む請求項２に記載の方法。
【請求項５】
インテリジェントネットワークの通話者取り扱い手順の間に第２の固定ネットワーク当事者への接続岐路の上記解除及び移動ステーションへの新たな接続の上記確立を実行する段階を含む請求項４に記載の方法。
【請求項６】
上記第１移動交換センターと第２の固定ネットワーク当事者との間の接続岐路を解除する上記段階は、第２の固定ネットワーク当事者により開始される解除に応答して実行される請求項２に記載の方法。
【請求項７】
エコー打消し装置をもたない第１交換センターと、エコー打消し装置を有する少なくとも１つの第２交換センターとを備えたテレコミュニケーションネットワークにおいてエコー打消しを制御する方法において、
上記第１交換センター及び上記少なくとも１つの第２交換センターを経てスピーチモードでのコール接続を、この接続に対しエコー打消し装置を接続するようにして確立し、
上記第１交換センターの制御下で、コール接続の形式を、スピーチモードから、エコー打消しが許されない別の送信モードへ変更し、
上記接続からエコー打消し装置を切断するように上記第２交換センターに指令するシグナリングメッセージを上記第１交換センターから上記少なくとも１つの第２交換センターへ送信する、
という段階を含むことを特徴とする方法。
【請求項８】
上記第１交換センターの制御下で、コール接続の形式を上記他の送信モードからスピーチモードに戻すように変更し、
上記接続に対してエコー打消し装置を接続するように上記第２交換センターに指令するシグナリングメッセージを上記第１交換センターから上記少なくとも１つの第２交換センターへ送信する、
という段階を更に含む請求項７に記載の方法。
【請求項９】
上記テレコミュニケーションネットワークは、移動通信ネットワークであり、上記第１交換センターは、移動交換センターであり、そして上記少なくとも１つの第２交換センターは、上記移動通信ネットワークを固定電話ネットワークに接続するゲートウェイ移動交換センターである請求項７又は８に記載の方法。
【請求項１０】
上記ゲートウェイ移動交換センターにおいてコール接続に対してエコー打消し装置を接続して上記第１移動交換センター及び上記ゲートウェイ移動交換センターを経て移動ステーションと第２の固定ネットワーク加入者との間に上記コール接続を確立し、
上記移動交換センターの制御下で、コール接続の形式を、スピーチモードから、エコー打消しが許されない上記他の送信モードへ変更し、
上記接続からエコー打消し装置を切断するように上記ゲートウェイ移動交換センターに指令する上記シグナリングメッセージを上記第１交換センターから上記ゲートウェイ移動交換センターへ送信する、
という段階を更に含む請求項９に記載の方法。
【請求項１１】
上記移動交換センターの制御下で、接続の形式を上記他の送信モードからスピーチモードに戻すように変更し、
上記接続に対してエコー打消し装置を接続するように上記ゲートウェイ移動交換センターに指令する上記シグナリングメッセージを上記第１移動交換センターから上記ゲートウェイ移動交換センターへ送信する、
という段階を更に含む請求項９に記載の方法。
【請求項１２】
上記他の送信モードは、ファクシミリモード或いはデータ送信モードである請求項７ないし１１のいずれかに記載の方法。
【請求項１３】
エコー打消し装置をもたない第１交換センターと、エコー打消し装置を有する少なくとも１つの第２交換センターとを備え、上記第１交換センターは、古い当事者への接続岐路を解除しそして新たな当事者への新たな接続岐路を確立することによりコール中に通話者を切り換えることができ、上記第１交換センターは、通話者の切り換えに応答して、コール接続に対してエコー打消し装置が予め接続されておらずそして新たな当事者によりエコー打消しが要求されたときに、コール接続に対しエコー打消し装置を接続するよう上記第２交換センターに指令するシグナリングメッセージを上記少なくとも１つの第２交換センターに送信するように構成されたことを特徴とする通信ネットワーク。
【請求項１４】
上記通信ネットワークは、移動通信ネットワークであり、上記第１交換センターは、移動交換センターであり、そして上記少なくとも１つの第２交換センターは、上記移動通信ネットワークを固定電話ネットワークに接続するゲートウェイ移動交換センターである請求項１３に記載のネットワーク。
【請求項１５】
上記コール接続は、最初に、第１移動交換センターから上記ゲートウェイ移動交換センターを経て第１の固定電話ネットワーク当事者へ至る第１接続岐路と、第１移動交換センターから第２の固定電話ネットワーク当事者へ至る第２接続岐路とを備え、そして第１移動交換センターは、第２の固定電話ネットワーク当事者により送信された解除メッセージに応答して第２接続岐路を解除し、そして第１移動交換センターから移動加入者への新たな接続岐路を確立するように構成され、上記新たな接続はエコー打消しを要求するものである請求項１４に記載のネットワーク。
【請求項１６】
上記コール接続は、最初に、第１移動交換センターから上記ゲートウェイ移動交換センターを経て第１の固定電話ネットワーク当事者へ至る第１接続岐路と、第１移動交換センターから上記ゲートウェイ移動交換センターを経てサービスノードへ至る第２接続岐路とを備え、そして第１移動交換センターは、上記サービスノードにより送信された解除メッセージに応答して第２接続岐路を解除し、そして第１移動交換センターから移動加入者への新たな接続岐路を確立するように構成され、上記新たな接続はエコー打消しを要求するものである請求項１４に記載のネットワーク。
【請求項１７】
上記メッセージは、エコー打消し装置の接続を制御するための制御情報が設けられたＩＳＵＰファシリティメッセージである請求項１２ないし１６のいずれかに記載のネットワーク。
【請求項１８】
上記第１交換センターは、インテリジェントネットワークにおけるサービス制御ポイントに接続される請求項１３ないし１７のいずれかに記載のネットワーク。
【請求項１９】
上記第１交換センターは、インテリジェントネットワークの通話者取り扱い手順により通話者の切り換えを行うように構成される請求項１８に記載のネットワーク。
【請求項２０】
エコー打消し装置をもたない第１交換センターと、エコー打消し装置を有する少なくとも１つの第２交換センターとを備え、上記第１交換センターは、コールの形式をコール中にスピーチモードから別の送信モードに切り換えることができ、  上記第１交換センターは、上記スピーチモードから上記別の送信モードへのコール形式の上記切り換えに応答して、コール接続が上記第２交換センターを経てルーティングされるときに、該コール接続からエコー打消し装置を切断するように上記第２交換センターに指令するシグナリングメッセージを上記少なくとも１つの第２交換センターへ送信するように構成されたことを特徴とする通信ネットワーク。
【請求項２１】
上記テレコミュニケーションネットワークは、移動通信ネットワークであり、上記第１交換センターは、移動交換センターであり、そして上記少なくとも１つの第２交換センターは、上記移動通信ネットワークを固定電話ネットワークに接続するゲートウェイ移動交換センターである請求項２０に記載のネットワーク。
【請求項２２】
上記他の送信モードは、ファクシミリモード或いはデータ送信モードである請求項２０又は２１に記載のネットワーク。
【請求項２３】
通信ネットワークのための交換センターであって、該交換センターは、エコー打消し装置をもたず、古い当事者への接続岐路を解除し新たらしい当事者への新たな接続岐路を確立することによりコール中に通話者を切り換えることができ、そして、通話者の切り換えに応答して、コール接続に対してエコー打消し装置が予め接続されておらずそして新たな当事者によりエコー打消しが要求されたときに、コール接続に対しエコー打消し装置を接続するようエコー打消し装置を有する第２交換センターに指令するシグナリングメッセージを該第２交換センターへ送信するように構成されたことを特徴とする交換センター。
【請求項２４】
通信ネットワークのための交換センターであって、該交換センターは、エコー打消し装置をもたず、コールの形式をコール中にスピーチモードから別の送信モードに切り換えることができ、そして、上記スピーチモードから上記別の送信モードへのコール形式の上記切換えに応答して、コール接続がエコー打消し装置を有する第２交換センターを経てルーティングされるときに、コール接続からエコー打消し装置を切断するように該第２交換センターに指令するシグナリングメッセージを該第２交換センターへ送信するように構成されたことを特徴とする交換センター。
【発明の詳細な説明】
【０００１】
【技術分野】
本発明は、エコーの打消しに係り、より詳細には、テレコミュニケーションシステムにおけるエコー打消し装置の制御に係る。
【０００２】
【背景技術】
スピーチを転送するテレコミュニケーションネットワーク、例えば、電話ネットワークや移動通信システムでは、通話者の音声がネットワーク要素又は接続から反射されるので、端−端接続にエコーが発生することがある。端−端接続に著しい遅延がある場合にはエコーが障害となる。遅延は、通常、伝播遅延であり、特に、長距離又は国際通話や衛星リンクを使用する通話にエコーを生じさせる。又、遅延は、デジタル信号処理からも生じ、これは、デジタル移動通信システムにおけるエコーの主な理由である。エコーは、２つの分類に分けられる。即ち、電話のイヤホンとマイクロホンとの間に生じる音響エコーと、通信システムにおいて送信及び受信方向に生じる電気エコーである。電気エコーの背後にある主たる理由の１つは、ローカル交換機又はリモート加入者段に配置されたハイブリッド回路（２線／４線コンバータ）である。
【０００３】
エコーにより生じる問題を解消するために、エコー打消し装置又はエコー抑制装置が従来使用されている。エコー打消し装置は、スピーチ信号を処理する装置である。これは、エコーを推定し、そしてエコー経路から戻ってきた信号からそのエコー推定値を減算することによりエコーを減少する。
移動通信システムでは、エコー打消し装置は、通常、移動ターミナル及び移動交換センターに含まれ、移動交換センターは、公衆交換電話ネットワークＰＳＴＮのような他のネットワークへのゲートウェイを形成する。ＰＳＴＮへのゲートウェイを形成する移動交換センターは、ここでは、ＰＳＴＮゲートウェイＭＳＣと称する。ＭＳ−ＭＳコールでは、両ターミナルが、必要なエコー打消し装置を含み、そしてコールに含まれるネットワーク要素は、エコー打消し装置を有する必要がない。ＰＳＴＮ−ＭＳコールでは、ＰＳＴＮゲートウェイＭＳＣにおけるコールのＰＳＴＮ側に別のエコー打消し装置を接続しなければならず、一方、他のエコー打消し装置がＭＳにあるか、又は移動ターミナルにおいてエコーが通知される。
【０００４】
インテリジェントネットワークは、テレコミュニケーションネットワークに新たなサービスを導入する柔軟性のある手段である。インテリジェントネットワークは、サービス制御ポイント（ＳＣＰ）、サービス交換ポイント（ＳＳＰ）及び他の種々の要素で構成される。サービス交換ポイント（ＳＳＰ）の機能は、通常、従来の通信ネットワークの交換センター、例えば、ＭＳＣやＧＳＭシステムのＧＭＳＣに配置される。次いで、ＳＳＰ／ＭＳＣは、インテリジェントサービスプログラムを含むサービス制御ポイント（ＳＣＰ）に接続される。ＭＳＣのコール制御は、基本的なコール状態モデル（ＢＣＳＭ）を使用し、これは、ＳＣＰに向かうコールの状態をモデリングするために種々の検出ポイント（ＤＰ）を含む。１つ以上の検出ポイントには、所望のＩＮサービスのためのサービストリガーが設けられる。コール確立がＢＣＳＭの検出ポイントへ進みそしてアクチベートされたサービストリガーがあるときには、ＳＳＰ／ＭＳＣがＳＣＰに要求を送信する。ＳＣＰは、ＳＳＰ／ＭＳＣの機能を制御するオペレーションで応答し、アクチベートされたサービスを提供できるようにする。
【０００５】
ＩＮサービス又は同様のサービス（例えば音声メッセージサービスや音声メールシステムＶＭＳにより開始されるサービス）は、コール・ドロップ・バック、コール・ドロップ・バック・リターン、フォロー・オン・コール及び通話者取り扱いサービスを含む。コール・ドロップ・バックのメカニズムは、加入者Ａが、音声メールでメッセージを出した者にコールを行うことができるようにする。コールは、以前のＭＳＣの何れかに「ドロップ」され、そして加入者Ｃに再ルーティングされる。このメカニズムでは、加入者Ａは、最初のコールを解除して、加入者Ｃへ新たなコールを発信する必要はない。コール・ドロップ・バック・リターンは、加入者Ｃへの接続が成功したとき及び加入者Ｃが電話を切ったときに、ＭＳＣ−ＶＭＳ／サービスノード（ＶＭＳ＝音声メールサービス）接続を再確立することである。次いで、コールは、再び別の加入者へ転送することができる。フォロー・オン・コールは、ユーザが、各要求されたサービスを実行する前に、識別及び認証プロセスを経ずに、一連のサービス要求を行えるようにする特徴である。識別及び認証は、一連のサービス要求の第１サービス要求のみにおいて行われる。この機能は、他の能力で増強することができ、例えば、コール・ドロップ・バックサービスに対して使用することができる。１つの更に別のサービスは、通話者取り扱い（ＣＰＨ）である。ＣＰＨオペレーションは、新たな通話者を柔軟に確立したり、又はコールから当事者を除去しそして当事者間のクロス接続を制御したりすることができる。上述した全てのサービスは、コール中に接続コンフィギュレーションを変更することを伴う。
【０００６】
エコーの問題は、幾つかの特定のケースにおいて接続コンフィギュレーションがコール中に変更されるときに発生する。この問題は、最初の接続コンフィギュレーションが何のエコー打消し装置も指定しないが、新たな接続コンフィギュレーションがそれを要求する場合に起きる。これは、例えば、ＰＳＴＮ−ＰＳＴＮ接続がＰＳＴＮ−ＭＳ接続に変更されるときに生じる。この同じ問題は、構内交換機（ＰＢＸ）コールにも関連している。例えば、移動ステーションＭＳにアドレスされたコールがＰＳＴＮからＰＳＴＮゲートウェイ移動交換センター（ＰＳＴＮ  ｇｗ−ＭＳＣ）を経て移動ネットワーク内のサービング移動交換センター（ＭＳＣ）へルーティングされると仮定する。従って、例えば、アクチベートされたコール・フォワーディング・ウエン・ビジー（ビジー時コール再送）サービスにより、コールは、更に、サービングＭＳＣから同じ又は別のＰＳＴＮ  ｇｗ−ＭＳＣを経てＰＳＴＮへルーティングされる。ＰＳＴＮ−ＰＳＴＮコールでは、ＰＳＴＮ  ｇｗ−ＭＳＣにおいてエコー打消し装置が指定されない。従って、その後のコール中に、例えば、ＣＰＨが使用されるときに、第２の（転送）ＰＳＴＮ岐路を解除しそしてサービングＭＳＣの制御下で被呼ＭＳへの新たな接続岐路を確立することにより接続コンフィギュレーションが変更される。新たなＰＳＴＮ−ＭＳコールは、エコー打消し装置を要求するが、ＰＳＴＮ  ｇｗ−ＭＳＣは、コールに対してエコー打消し装置を指定していない。それ故、ＭＳ加入者は、障害エコーを経験することになる。この問題に対する１つの解決策は、各ＭＳＣにエコー打消し装置を設けて、サービングＭＳＣが、接続コンフィギュレーションを変更する間にエコー打消し装置をコール接続に内部接続できるようにすることである。
【０００７】
アクティブなコール中にコールの形式が変更されるときにも同様の問題が生じ得る。例えば、コールは、ＰＳＴＮ  ｇｗ−ＭＳＣにエコー打消し装置を要求するスピーチモードで開始され、そしてその後、エコー打消し装置が許されないファクシミリモードに変更されることがある。従って、コール中にスピーチモードとファクシミリモードとの間で切り換えをする場合には、エコー打消し装置をコールに接続したり切断したりできるように、各ＭＳＣにエコー打消し装置が必要とされる。
【０００８】
【発明の開示】
本発明の目的は、通信ネットワーク内の各交換センターにおけるエコー打消し装置の必要性を回避することである。
本発明は、独立請求項で請求した方法及び通信ネットワークに係る。好ましい実施形態は、従属請求項に開示される。
本発明の基本的な考え方は、通話者の切り換えやコール形式の切り換えを制御する交換センターが、エコー打消し能力を有する最至近の交換センターに、接続へ／からエコー打消し装置を接続／切断するよう指令する構成とされたことである。換言すれば、これらの特殊な状態において、エコー打消しは、通信ネットワーク内の新規なシグナリング特徴によって制御される。その結果、これらの特殊な状態だけのために通信ネットワークの各交換センターにエコー打消し装置を導入する必要がなくなる。
【０００９】
シグナリングは、アクティブなコール中に送信することのできるシグナリングメッセージ、例えば、この特殊な目的のために定義された新規なシグナリングメッセージ、又は本発明によるエコー打消し装置制御情報を搬送するように変更された既存のシグナリングメッセージによって行うことができる。本発明の好ましい実施形態では、ＩＳＵＰファシリティメッセージのようなＩＳＵＰメッセージに、エコー打消しを制御するための新規なパラメータが与えられる。
【００１０】
【発明を実施するための最良の形態】
以下、添付図面を参照して、本発明の好ましい実施形態を詳細に説明する。
本発明は、エコー打消しの必要性が生じるか又はエコー打消しをもはや使用できないようにコール中に接続コンフィギュレーション又はコール形式或いは他のコール特徴が変更されるいかなるテレコミュニケーションシステムにも適用することができる。
本発明の好ましい実施形態は、ＧＳＭ移動通信ネットワークを一例として使用して以下に説明する。
【００１１】
図１を参照すれば、移動交換センターＭＳＣは、インテリジェントネットワークのサービス制御ポイントに接続され、そしてサービス交換ポイントＳＳＰとして動作する。図１には示さないが、ＭＳＣ／ＳＳＰは、移動ステーションＭＳに対する無線接続を与えるベースステーションシステムＢＳＳに接続される。移動ネットワークにおける移動交換センターの１つ以上は、ゲートウェイＭＳＣであり、これは、外部テレコミュニケーションネットワークへルーティングされるコール及びこれらネットワークから到着するコールに対するゲートウェイファンクションを含む。図１において、２つのＰＳＴＮ  ｇｗ−ＭＳＣがＰＳＴＮに接続されている。又、ネットワークには少なくとも２つのデータベース、即ちホーム位置レジスタＨＬＲ及びビジター位置レジスタＶＬＲもある（図示せず）。
【００１２】
図１は、ＰＳＴＮ−ＰＳＴＮコール接続コンフィギュレーションを示す。この接続コンフィギュレーションは、例えば、ＰＳＴＮ加入者Ａにより、ＰＳＴＮ  ｇｗ−ＭＳＣを経て、アドレスされた移動ステーションＭＳ（加入者Ｃ）にサービスするＳＳＰ／ＭＳＣへとなされたコールから生じる。次いで、何らかの理由で、例えば、コール・フォワーディング・ウエン・ビジー（ビジー時コール再送）機能により、ＳＳＰ／ＭＳＣから被呼ＭＳへの第２の接続岐路が確立されず、コールは、第２のＰＳＴＮ  ｇｗ−ＭＳＣを経て第２のＰＳＴＮ加入者（加入者Ｂ）へルーティングされる。その結果、加入者ＡからサービングＳＳＰ／ＭＳＣへの第１接続岐路と、サービングＳＳＰ／ＭＳＣからＰＳＴＮ加入者Ｂへの第２接続岐路とを含む接続が得られる。
【００１３】
コールがアクティブであって、図２に示すコンフィギュレーションを有するときには、再応答の可能性をもつＰＳＴＮ加入者Ｂがコールの解除を開始し、そしてＩＳＵＰ解除メッセージＳＵＳがＰＳＴＮ  ｇｗ−ＭＳＣを経てＳＳＰ／ＭＳＣに送信される。例えば、フォロー・オン・コール特徴に基づき、ＳＳＰ／ＭＳＣは、初期ＤＰメッセージ（ＩＮＡＰオペレーション）を送信して、ＳＣＰにおいて新たなＩＮサービスを開始させる。ＳＣＰは、切断岐路メッセージＤＬで応答する。切断岐路は、ＳＣＰが２当事者又は多当事者コールにおいて接続岐路を切断（解除）できるようにするＩＮＡＰオペレーションである。メッセージＤＬを受信すると、ＳＳＰ／ＭＳＣは、ＰＳＴＮ  ｇｗ−ＭＳＣを経てＰＳＴＮへＩＳＵＰ解除メッセージＲＥＬを送信する。着信側では、メッセージＲＬＣによりＲＥＬを確認する。その結果、ＳＳＰ／ＭＳＣからＰＳＴＮへの第２岐路が解除される。ＩＤＰメッセージにより開始されるＩＮサービスは、ＤＬメッセージが送信される前にある種のユーザ相互作用を伴うことに注意されたい。例えば、コールをいかに再ルーティングすべきかの命令を与えるように加入者Ａを促すために加入者Ａに通知が再生される。これらの命令は、口頭で与えられてもよいし、ＤＴＭＦ（デュアルトーン多周波数）ダイヤリングによって与えられてもよい。通知は、例えば、「セクレタリーについては番号１を、ボイスメールについては番号２を押す(Push number one for the secretary, number two for the voice mail)」等である。又、加入者Ｂ、例えば、音声メッセージサービスは、コールが再ルーティングされるべき加入者Ｃの番号を解除メッセージＲＥＬで送信することも考えられる。後者の場合には、ＭＳＣは、ＩＮネットワークが含まれないときにもコールを独立して再ルーティングすることができる（コール・ドロップ・バックサービス参照）。
【００１４】
メッセージＤＬを送信した後に、ＳＣＰは、接続メッセージＣＯＮをＳＳＰ／ＭＳＣへ送信する。接続は、コールが再ルーティングされるべき新たな加入者Ｃの電話番号をＳＣＰが供給できるようにするＩＮＡＰオペレーションである。加入者Ｃの電話番号は、ユーザ相互作用の間に加入者Ａから得られるか、加入者Ａからの命令に基づいて選択されるか、又は他の何らかの方法によって得られる。
メッセージＣＯＮを受信すると、ＳＳＰ／ＭＳＣは、ＩＳＵＰファシリティメッセージＦＡＣを、第１岐路を経てＰＳＴＮ  ｇｗ−ＭＳＣへ（即ち加入者Ａに向かって）送信する。本発明によれば、メッセージＦＡＣは、ＰＳＴＮ  ｇｗ−ＭＳＣがエコー打消し装置をラインに接続させる制御情報を含む。ＳＳＰ／ＭＳＣは、新たな加入者Ｃが移動ステーションＭＳであるためにエコー打消しが必要であると決定している。
【００１５】
メッセージＦＡＣの送信の前に、それと同時に又はその後に、ＳＳＰ／ＭＳＣは、移動ステーションＣへの通常のコール設定を実行する。設定されるべきコールがスピーチコールであるときには、移動ステーションＭＳにエコー打消しが自動的に使用される。次いで、加入者Ｃは、通常に応答し、そしてコールコンフィギュレーションは、図２に示すように完了する。古いコールコンフィギュレーションは、図２に破線で示されている。
ＩＳＵＰファシリティメッセージは、ＩＴＵＴ推奨勧告Ｑ．７６３、テーブル４５に規定されている。本発明の目的に対する新たなエコー打消し装置制御パラメータは、任意のパラメータの１つとして定義することができる。エコー打消し装置の制御に必要とされる他のパラメータは、メッセージの形式、メッセージの互換性情報及びファシリティメッセージにおけるパラメータ互換性情報である。しかしながら、本発明による制御情報は、アクティブなコール中にスピーチ状態で送信できるいかなるメッセージを使用しても送信できることに注意されたい。
【００１６】
図１のコールコンフィギュレーションを使用する別の理由は、加入者Ａが移動通信ネットワークにおけるサービス番号をコールし、そのコールがシグナリング段階においてＳＣＰへのＩＮサービス要求を生じ、そしてＳＣＰが、コールをＰＳＴＮ加入者Ｂへルーティングすべきであると指令していることである。この場合に、ＳＳＰは、おそらく、ＩＤＰメッセージではなく、事象レポートＢＣＳＭ（ＥＲＢ）メッセージを使用して、第２岐路の解除を報告する。
上記のように、エコー打消しの必要性は、アクティブなコール中にコール形式が変更されたときにも変化し得る。考えられるコール形式は、例えば、スピーチモード、ファクシミリモード、及びデータ送信モードを含む。以下、スピーチ／ファックスコールを一例として使用することにより本発明を説明する。図４は、移動加入者ＡからサービングＭＳＣ及びＰＳＴＮ  ｇｗ−ＭＳＣを経てＰＳＴＮ加入者Ｂへと確立されるスピーチ／ファックスコールを示す。ＰＳＴＮ  ｇｗ−ＭＳＣには、必要に応じてコールに接続できるエコー打消し装置が設けられる。ＭＳＣは、エコー打消し装置をもたない。通常、スピーチコールを確立するときには、移動ステーションＭＳとサービングＭＳＣとの間のＧＳＭトラフィックチャンネルが、スピーチエンコードを使用するスピーチモードにある。サービングＭＳＣとＰＳＴＮゲートウェイＭＳＣとの間の送信岐路は、通常、ＰＣＭリンクであり、そしてＰＳＴＮ  ｇｗ−ＭＳＣとＰＳＴＮ加入者Ｂとの間には典型的なＰＳＴＮ接続（又はＩＳＤＮ接続）が設けられる。コールはスピーチ状態で確立されるので、エコー打消し装置も必要となり、ＰＳＴＮゲートウェイＭＳＣにおいてラインに接続される。しかしながら、スピーチモードにおいて最初にコールを確立するときには、移動ステーションが、自動的に又はユーザの介入により、コールの形式をファクシミリモードに変更する。ファクシミリモードは、ＭＳとＭＳＣとの間のトラフィックチャンネルがデータモードであり、そして接続の端に特定のファクシミリアダプタが設けられる。ファクシミリコールではエコー打消しが許されない。というのは、エコー打消しによって信号が歪み、従って、ファクシミリ送信の質が低下するか又は欠陥となるからである。それ故、エコー打消し装置をＰＳＴＮ  ｇｗ−ＭＳＣにおけるラインから切断しなければならない。一方、コールが後でスピーチモードに戻った場合には、エコー打消し装置をラインに接続して戻さねばならない。
【００１７】
図５は、スピーチ／ファクシミリコールにおける本発明のエコー打消し装置の制御を示すシグナリング図である。第１に、ＭＳは、コール形式を移動装置においてスピーチからファクシミリモードに変更する（ステップ５１）。ＭＳは、ＭＳＣへシグナリングすることによりスピーチモードからファクシミリモードへのＧＳＭトラフィックチャンネルの変更を開始する（ステップ５２）。ＭＳＣは、トラフィックチャンネルのモードを変更し、そして本発明により、エコー打消し装置制御情報を含むＩＳＵＰファシリティメッセージＦＡＣをＰＳＴＮゲートウェイＭＳＣに送信する（ステップ５３）。受信した制御情報に応答して、ＰＳＴＮ  ｇｗ−ＭＳＣは、接続のアウトバンド回路からエコー打消し装置を切断する（ステップ５４）。その結果、成功裡なファクシミリ送信を開始することができる。
【００１８】
後で、コールにおいて、移動ステーションＭＳは、スピーチモードへ戻る変更を開始する（ステップ５５）。ＭＳＣは、ＧＳＭトラフィックチャンネルをファクシミリモードからスピーチモードへ変更し、そして本発明により、エコー打消し装置制御情報を含むＩＳＵＰファシリティメッセージＦＡＣをＰＳＴＮ  ｇｗ−ＭＳＣへ送信する。エコー打消し装置制御情報に応答して、ＰＳＴＮ  ｇｗ−ＭＳＣは、エコー打消し装置を接続のアウトバンド回路に再度接続する（ステップ５７）。
又、エコー打消し装置又はＰＳＴＮ  ｇｗ−ＭＳＣによってファクシミリシグナリングが検出されたときにエコー打消し装置をラインから切断することもできる。しかしながら、この場合には、コールがスピーチモードに変更されて戻されたときにエコー打消し装置をラインに接続して戻すことができず、従って、公知のシステムではコールにエコーが存在することになる。又、この問題は、サービングＭＳＣが、ＧＳＭトラフィックチャンネルのモードを変更するときに、エコー打消し装置をラインに接続するようＰＳＴＮ  ｇｗ−ＭＳＣに指令する本発明の実施形態により回避することができる。これは、図５のステップ５５−５７に対応する。しかしながら、スピーチモードからファクシミリモードへ変更するときには、エコー打消し装置は、ファクシミリモードを独立して検出しそして接続を去る。換言すれば、図５のステップ５２−５３は、この実施形態では必要とされない。
以上、好ましい実施形態により本発明の原理を説明した。特許請求の範囲内でその細部を種々変更できることが明らかであろう。
【図面の簡単な説明】
【図１】  移動通信ネットワークにおいてサービングＳＳＰ／ＭＳＣを経て確立されるＰＳＴＮ−ＰＳＴＮコールを示すブロック図である。
【図２】  例えば、通話者取り扱いＣＰＨにより図１のＰＳＴＮ−ＭＳコールから変更されたＰＳＴＮ−ＭＳコールを示すブロック図である。
【図３】  図１から図２への接続コンフィギュレーションの変更に使用されるシグナリングと、本発明によるエコー打消し装置の制御とを示すシグナリング図である。
【図４】  ＭＳとＰＳＴＮの間のスピーチ／ファックスコールを示すブロック図である。
【図５】  スピーチからファックスへの及びそれとは逆のコール形式の変更と、本発明によるエコー打消し装置の関連制御とを示すシグナリング図である。
【図１】
0003928926.tif 000002
【図２】
0003928926.tif 000003
【図３】
0003928926.tif 000004
【図４】
0003928926.tif 000005
【図５】
0003928926.tif 000006